(57)【要約】【課題】点灯回路と、音声回路とを備える照明システムであって、点灯回路及び音声回路の一方の異常を速やかに報知できる照明システムなどを提供する。【解決手段】照明システム１は、光源２７を点灯させる照明システムであって、光源２７を点灯させる点灯回路２５と、報知装置とを有する点灯回路グループ２０と、スピーカ１５と、スピーカ１５を駆動する音声制御回路１３とを有する音声回路グループ１０と、点灯回路グループ２０及び音声回路グループ１０の異常を検出する検出回路３０とを備え、検出回路３０は、音声回路グループ１０の異常を検出した場合には、報知装置を用いて異常を報知し、点灯回路グループ２０の異常を検出した場合には、スピーカ１５を用いて異常を報知する。【選択図】図１
2020004584.tif 000002
【特許請求の範囲】
【請求項１】
光源を点灯させる照明システムであって、
前記光源を点灯させる点灯回路と、報知装置とを有する点灯回路グループと、
スピーカと、前記スピーカを駆動する音声制御回路とを有する音声回路グループと、
前記点灯回路グループ及び前記音声回路グループの異常を検出する検出回路とを備え、
前記検出回路は、前記音声回路グループの異常を検出した場合には、前記報知装置を用いて異常を報知し、前記点灯回路グループの異常を検出した場合には、前記スピーカを用いて異常を報知する
照明システム。
【請求項２】
前記検出回路は、
前記音声回路グループの異常を検出する第一検出部と、
前記点灯回路グループの異常を検出する第二検出部と、
前記第一検出部と前記第二検出部との間で信号を伝達する信号伝達部とを有する
請求項１に記載の照明システム。
【請求項３】
前記報知装置は、前記光源を含む
請求項１又は２に記載の照明システム。
【請求項４】
前記検出回路は、前記光源の点灯状態を変更することによって、異常を報知する
請求項３に記載の照明システム。
【請求項５】
前記報知装置は、ブザーを含む
請求項１〜４のいずれか１項に記載の照明システム。
【請求項６】
前記点灯回路グループは、前記点灯回路に電力を供給する点灯電源回路を含む
請求項１〜５のいずれか１項に記載の照明システム。
【請求項７】
前記点灯回路グループは、前記点灯回路を制御する点灯制御回路を含む
請求項１〜６のいずれか１項に記載の照明システム。
【請求項８】
前記音声回路グループは、前記スピーカの駆動に係る無線信号を送受信する無線通信回路をさらに有する
請求項１〜７のいずれか１項に記載の照明システム。
【請求項９】
請求項１〜８のいずれか１項に記載の照明システムと、
前記光源とを備える
照明器具。
【発明の詳細な説明】
【技術分野】
【０００１】
本発明は、照明システム及び照明器具に関する。
【背景技術】
【０００２】
従来、照明動作を行う照明部と、スピーカを含む音響機器とを備える照明装置が知られている（例えば、特許文献１など参照）。このような照明装置は、照明動作を行うことができ、かつ、携帯電話機などの外部機器から送信される音声信号に基いて音楽などの音声を再生出力することができる。
【先行技術文献】
【特許文献】
【０００３】
【特許文献１】特開２０１４−９９３６９号公報
【発明の概要】
【発明が解決しようとする課題】
【０００４】
特許文献１に開示されたような照明装置において、照明部及び音響機器の少なくとも一方が故障する場合がある。例えば、照明部において光源に電圧を供給する電源回路において断線などの故障が発生した場合、ユーザが照明装置を使用するまでに故障に気付くことは難しい。
【０００５】
そこで、本発明は、点灯回路を有する点灯回路グループと、スピーカを有する音声回路グループとを備える照明システムなどにおいて、点灯回路グループ及び音声回路グループの異常を速やかに報知することを目的とする。
【課題を解決するための手段】
【０００６】
上記目的を達成するために、本発明に係る照明システムの一態様は、光源を点灯させる照明システムであって、前記光源を点灯させる点灯回路と、報知装置とを有する点灯回路グループと、スピーカと、前記スピーカを駆動する音声制御回路とを有する音声回路グループと、前記点灯回路グループ及び前記音声回路グループの異常を検出する検出回路とを備え、前記検出回路は、前記音声回路グループの異常を検出した場合には、前記報知装置を用いて異常を報知し、前記点灯回路グループの異常を検出した場合には、前記スピーカを用いて異常を報知する。
【０００７】
上記目的を達成するために、本発明に係る照明器具の一態様は、上記照明システムと、上記光源とを備える。
【発明の効果】
【０００８】
本発明の一態様によれば、点灯回路を有する点灯回路グループと、スピーカを有する音声回路グループとを備える照明システムなどにおいて、点灯回路グループ及び音声回路グループの異常を速やかに報知できる。
【図面の簡単な説明】
【０００９】
【図１】図１は、実施の形態１に係る照明システムの回路構成を示す回路図である。
【図２】図２は、実施の形態１に係る照明システムの動作の概要を示すフローチャートである。
【図３】図３は、実施の形態２に係る照明システムの回路構成を示す回路図である。
【図４】図４は、実施の形態３に係る照明システムの回路構成を示す回路図である。
【図５】図５は、変形例に係る照明器具の外観図である。
【発明を実施するための形態】
【００１０】
以下、本発明の実施の形態について、図面を参照しながら説明する。以下に説明する実施の形態は、いずれも本発明の一具体例を示すものである。したがって、以下の実施の形態で示される数値、形状、材料、構成要素、構成要素の配置位置及び接続形態等は、一例であって本発明を限定する主旨ではない。よって、以下の実施の形態における構成要素のうち、本発明の最上位概念を示す独立請求項に記載されていない構成要素については、任意の構成要素として説明される。
【００１１】
なお、各図は、模式図であり、必ずしも厳密に図示されたものではない。また、各図において、実質的に同一の構成に対しては同一の符号を付しており、重複する説明は省略又は簡略化する。
【００１２】
（実施の形態１）
実施の形態１に係る照明システムについて説明する。
【００１３】
［１−１．全体構成］
まず、本実施の形態に係る照明システムの全体構成について、図１を用いて説明する。図１は、本実施の形態に係る照明システム１の回路構成を示す回路図である。図１には、入力電源２が併せて示されている。
【００１４】
照明システム１は、入力電源２からの電力を受けて光源２７を点灯させるシステムである。照明システム１は、点灯回路グループ２０と、音声回路グループ１０と、検出回路３０とを備える。本実施の形態では、照明システム１は、実装用の基板である点灯回路基板４２及び音声回路基板４１をさらに備える。点灯回路基板４２には、光源２７以外の点灯回路グループ２０が実装される。音声回路基板４１には、スピーカ１５以外の音声回路グループ１０が実装される。また、検出回路３０の一部は、点灯回路基板４２に実装され、検出回路３０の他の一部は、音声回路基板４１に実装される。
【００１５】
入力電源２は、照明システム１に交流電力を供給する系統電源である。入力電源２は、例えば、商用交流電源である。
【００１６】
点灯回路グループ２０は、光源２７を点灯させる点灯回路２５と、報知装置とを有する。本実施の形態では、報知装置は、光源２７及びブザー２６の少なくとも一方を含む。点灯回路グループ２０は、ダイオードブリッジ（ＤＢ）２１と、点灯電源回路２２と、点灯回路２５と、制御電源回路２４と、点灯制御回路２３と、ブザー２６とを有する。
【００１７】
光源２７は、点灯回路２５から電流を供給されて照明光を出射する。本実施の形態では、光源２７は、一つ以上のＬＥＤ（Light Emitting Diode）チップを備える白色ＬＥＤ光源である。光源２７は、一つのＬＥＤチップを備えてもよいし、直列又は並列に接続された複数のＬＥＤチップを備えてもよい。本実施の形態では、光源２７は、報知装置に含まれる。これにより、光源２７を用いて音声回路グループ１０の異常を報知できるため、報知装置として、他の装置を用いる必要がない。したがって、簡素化された構成を有する照明システムを実現できる。
【００１８】
ダイオードブリッジ２１は、入力電源２から供給される交流電力を整流する整流回路である。本実施の形態では、ダイオードブリッジ２１は、複数のダイオードを含む全波整流回路である。
【００１９】
点灯電源回路２２は、点灯回路２５に電力を供給する電源回路である。本実施の形態では、点灯電源回路２２は、ダイオードブリッジ２１から出力された直流電圧を昇圧して出力する昇圧チョッパ回路である。点灯電源回路２２は、例えば、ダイオードブリッジ２１から出力された最大１４０Ｖ程度の脈動する直流電圧を、２５０Ｖ程度の直流電圧に変換する。点灯電源回路２２は、例えば、制御用ＩＣを有し、制御用ＩＣによって、昇圧チョッパ回路に含まれるスイッチング素子を制御する。
【００２０】
点灯回路２５は、光源２７を点灯させる回路である。本実施の形態では、点灯回路２５は、ＬＥＤなどの発光素子を含む光源２７に電流を供給する降圧チョッパ回路である。点灯回路２５は、点灯制御回路２３からの信号に基いて光源２７の点灯状態を変更させる。点灯回路２５は、例えば、制御用ＩＣを有する。点灯回路２５は、光源２７の点灯状態を変更する際、点灯制御回路２３からの信号に基いて、制御用ＩＣが降圧チョッパ回路のスイッチング素子の動作を切り替えることによって、光源２７に供給する電流量を変更する。
【００２１】
制御電源回路２４は、点灯制御回路２３に直流電圧を供給する電源回路である。制御電源回路２４は、点灯電源回路２２及び点灯回路２５にそれぞれ含まれる制御用ＩＣに直流電圧を供給してもよい。制御電源回路２４は、例えば、点灯電源回路２２が出力する２５０Ｖ程度の直流電圧を、１５Ｖ程度の直流電圧に変換する降圧チョッパ回路と、降圧チョッパ回路が出力する１５Ｖ程度の直流電圧を５Ｖ程度の直流電圧に変換する三端子レギュレータとを備えてもよい。これにより、制御電源回路２４は、点灯電源回路２２及び点灯回路２５の各制御用ＩＣに１５Ｖ程度の直流電圧を供給し、点灯制御回路２３に５Ｖ程度の直流電圧を供給できる。
【００２２】
点灯制御回路２３は、点灯回路２５を制御する回路である。本実施の形態では、点灯制御回路２３は、点灯回路グループ２０における異常に係る信号を検出回路３０に出力する。例えば、点灯制御回路２３は、制御電源回路２４から供給される電圧に対応する信号を検出回路３０に出力する。これにより、検出回路３０は、制御電源回路２４からの電圧供給の有無を検知できる。また、点灯制御回路２３には、入力電源２から点灯回路グループ２０への電力供給の有無を示す信号が入力される。本実施の形態では、ダイオードブリッジ２１の出力電圧に対応する信号が点灯制御回路２３に入力される。これにより、点灯制御回路２３は、点灯回路グループ２０への電力供給の有無を検知できる。点灯制御回路２３は、入力電源２から点灯回路グループ２０への電力供給の有無を示す信号を、検出回路３０に送信する。
【００２３】
また、点灯制御回路２３には、点灯回路２５から、光源２７の異常に係る信号が送信されてもよい。点灯回路２５は、光源２７に流れる電流などに基いて、光源２７の断線異常、短絡異常などを検出できる。点灯制御回路２３は、点灯回路２５からの光源２７の異常に係る信号を検出回路３０に送信してもよい。これにより、検出回路３０は、光源２７の異常も検出し、かつ、スピーカ１５を用いて光源２７の異常を報知できる。検出回路３０の詳細については後述する。
【００２４】
また、点灯制御回路２３は、ブザー２６を駆動するための電圧をブザー２６に出力する。これにより、照明システム１は、ブザー２６を用いて照明システム１の異常などを報知できる。また、点灯制御回路２３は、検出回路３０からの信号に基いて点灯回路２５及びブザー２６を駆動する。
【００２５】
ブザー２６は、電気によって単純な音を発生させる音響発生器である。ブザー２６は、点灯制御回路２３からの電圧によって駆動される。本実施の形態では、ブザー２６は、報知装置に含まれる。これにより、照明システム１は、ブザー音によって音声回路グループ１０の異常を報知できるため、光源２７の発光状態を変更することなく、異常を報知できる。
【００２６】
音声回路グループ１０は、スピーカ１５と、スピーカ１５を駆動する音声制御回路１３とを有する。本実施の形態では、報知装置は、光源２７及びブザー２６の少なくとも一方を含む。点灯回路グループ２０は、ダイオードブリッジ１１と、音声電源回路１２と、音声制御回路１３と、無線通信回路１４と、スピーカ１５とを有する。
【００２７】
ダイオードブリッジ１１は、入力電源２から供給される交流電力を整流する整流回路である。本実施の形態では、ダイオードブリッジ１１は、複数のダイオードを含む全波整流回路である。
【００２８】
音声電源回路１２は、音声制御回路１３に電力を供給する電源回路である。本実施の形態では、音声電源回路１２は、ダイオードブリッジ１１から出力された直流電圧を降圧して出力する降圧チョッパ回路である。音声電源回路１２は、例えば、ダイオードブリッジ１１から出力された最大１４０Ｖ程度の脈動する直流電圧を、５Ｖ程度の直流電圧に変換する。音声電源回路１２は、例えば、制御用ＩＣを有し、制御用ＩＣによって、降圧チョッパ回路に含まれるスイッチング素子を制御する。
【００２９】
音声制御回路１３は、スピーカ１５を制御する回路である。本実施の形態では、音声制御回路１３は、音声回路グループ１０における異常に関する信号を検出回路３０に出力する。例えば、音声制御回路１３は、音声電源回路１２から供給される電圧に対応する信号を検出回路３０に出力する。これにより、検出回路３０は、音声電源回路１２からの電圧供給の有無を検知できる。また、音声制御回路１３には、入力電源２から音声回路グループ１０への電力供給の有無を示す信号が入力される。本実施の形態では、ダイオードブリッジ１１の出力電圧に対応する信号が音声制御回路１３に入力される。これにより、音声制御回路１３は、音声回路グループ１０への電力供給の有無を検知できる。また、音声制御回路１３は、スピーカ１５の異常に係る信号を検出回路３０に出力してもよい。また、音声制御回路１３は、検出回路３０からの信号に基いてスピーカ１５を制御する。
【００３０】
スピーカ１５は、音声制御回路１３からの音声信号を音に変換する音響機器である。スピーカ１５は、音声信号に基いて、例えば、音楽、音声、ブザー音など任意の音を出力できる。
【００３１】
無線通信回路１４は、スピーカ１５の駆動に係る無線信号を送受信する回路である。無線通信回路１４は、例えば、スマートフォン、タブレット端末などの通信機器から送信されたスピーカ１５の駆動に係る無線信号を無線通信回路１４に含まれるアンテナを介して受信し、音声制御回路１３に出力する。当該無線信号には、例えば、音楽などの音声信号が含まれる。音声制御回路１３は当該音声信号をスピーカ１５に出力する。また、無線通信回路１４は、例えば、スピーカ１５などの状態を示す無線信号をアンテナを介して外部の通信機器に送信してもよい。無線通信回路１４は、音声制御回路１３から音声信号の再生状況などを示す信号を受信し、当該信号に対応する無線信号を外部の通信機器に送信してもよい。無線通信回路１４が使用する通信規格は特に限定されない。無線通信回路１４は、例えば、無線ＬＡＮ（Local Area Network）、Ｂｌｕｅｔｏｏｔｈ（登録商標）などの通信規格を使用してもよい。
【００３２】
検出回路３０は、点灯回路グループ２０及び音声回路グループ１０の異常を検出する回路である。検出回路３０は、音声回路グループ１０の異常を検出した場合には、点灯回路グループ２０の報知装置を用いて異常を報知し、点灯回路グループ２０の異常を検出した場合には、スピーカ１５を用いて異常を報知する。本実施の形態では、検出回路３０は、音声回路グループ１０の異常を検出する第一検出部３１と、点灯回路グループ２０の異常を検出する第二検出部３２と、第一検出部３１と第二検出部３２との間で信号を伝達する信号伝達部３３とを有する。これにより、例えば、第一検出部３１及び第二検出部３２をそれぞれ、点灯回路グループ２０及び音声回路グループの付近に配置できる。本実施の形態では、第二検出部３２及び点灯回路グループ２０は点灯回路基板４２に実装され、第一検出部３１及び音声回路グループ１０は音声回路基板４１に実装される。
【００３３】
第一検出部３１は、音声制御回路１３から、音声回路グループ１０の異常に係る信号を受信し、当該信号に基いて音声回路グループ１０の異常を検出する。また、第一検出部３１は、音声回路グループ１０の異常を検出した場合に、当該異常を示す信号を信号伝達部３３を介して第二検出部３２に送信する。第二検出部３２は、当該異常を示す信号を受信した場合に、当該信号を点灯制御回路２３に送信する。
【００３４】
第二検出部３２は、点灯制御回路２３から、点灯回路グループ２０の異常に係る信号を受信し、当該信号に基いて点灯回路グループ２０の異常を検出する。また、第二検出部３２は、点灯回路グループ２０の異常を検出した場合に、当該異常を示す信号を信号伝達部３３を介して第一検出部３１に送信する。第一検出部３１は、当該異常を示す信号を受信した場合に、当該信号を音声制御回路１３に送信する。
【００３５】
信号伝達部３３は、第一検出部３１と第二検出部３２との間で信号を伝達する信号線である。
【００３６】
上述した点灯制御回路２３、音声制御回路１３、第一検出部３１及び第二検出部３２は、例えば、それぞれマイコン（ＭＣＵ；Micro-Controller Unit）で実現される。マイコンは、プログラムが格納されたＲＯＭ、ＲＡＭなどのメモリと、プログラムを実行するプロセッサ（ＣＰＵ；Central Processing Unit）と、タイマと、Ａ／Ｄ変換器、Ｄ／Ａ変換器などを含む入出力回路とを有する１チップの半導体集積回路である。なお、点灯制御回路２３、音声制御回路１３、第一検出部３１及び第二検出部３２は、マイコン以外の電気回路などを用いて実現されてもよい。
【００３７】
［１−２．動作］
次に、本実施の形態に係る照明システム１の動作について図２を用いて説明する。図２は、本実施の形態に係る照明システム１の動作の概要を示すフローチャートである。
【００３８】
図２に示されるように、照明システム１の検出回路３０は、まず、点灯回路グループ２０の異常の有無を検出する（Ｓ１０）。検出回路３０が点灯回路グループ２０の異常を検出した場合には（Ｓ１０でＹｅｓ）、スピーカ１５を用いて点灯回路グループ２０の異常を報知する（Ｓ２０）。詳しくは、検出回路３０の第二検出部３２が、点灯制御回路２３から点灯回路グループ２０の異常に係る信号を受信し、当該信号に基いて異常を検出する。例えば、入力電源２から点灯回路グループ２０への電力供給の有無を示す信号と、制御電源回路２４から供給される電圧に対応する信号とに基いて、点灯電源回路２２及び制御電源回路２４の異常を検出する。入力電源２から点灯回路グループ２０への電力供給があり、かつ、制御電源回路２４から供給される電圧が所定の電圧未満である場合に、点灯電源回路２２及び制御電源回路２４の少なくとも一方に断線異常などの異常があることが検出される。第二検出部３２は、点灯回路グループ２０の異常を検出した場合には、信号伝達部３３を介して第一検出部３１に点灯回路グループ２０の異常を示す信号を送信する。第一検出部３１は、当該信号を音声制御回路１３に送信する。音声制御回路１３は、当該信号に基いてスピーカ１５を制御する。例えば、音声制御回路１３は、スピーカ１５に点灯回路グループ２０の異常を示す音を出力させる。例えば、音声制御回路１３は、スピーカ１５に「点灯回路グループに異常が発生しています」との音声を出力させる。このようなスピーカ１５による報知は、一度だけ行ってもよいし、繰り返し行ってもよい。例えば、照明システム１への電力供給開始時に、毎回スピーカ１５による報知を行ってもよい。
【００３９】
一方、検出回路３０が点灯回路グループ２０の異常を検出しなかった場合には（Ｓ１０でＮｏ）、検出回路３０は、音声回路グループ１０の異常の有無を検出する（Ｓ３０）。
【００４０】
検出回路３０が音声回路グループ１０の異常を検出した場合には（Ｓ３０でＹｅｓ）、報知装置を用いて音声回路グループ１０の異常を報知する（Ｓ４０）。詳しくは、検出回路３０の第一検出部３１が、音声制御回路１３から音声回路グループ１０の異常に係る信号を受信し、当該信号に基いて異常を検出する。例えば、入力電源２から音声回路グループ１０への電力供給の有無を示す信号と、音声電源回路１２から供給される電圧に対応する信号とに基いて、音声電源回路１２の異常を検出する。入力電源２から音声回路グループ１０への電力供給があり、かつ、音声電源回路１２から供給される電圧が所定の電圧未満である場合に、音声電源回路１２に断線異常などの異常があることが検出される。第一検出部３１は、音声回路グループ１０の異常を検出した場合には、信号伝達部３３を介して第二検出部３２に音声回路グループ１０の異常を示す信号を送信する。第二検出部３２は、当該信号を点灯制御回路２３に送信する。点灯制御回路２３は、当該信号に基いて報知装置を用いて異常を報知する。例えば、点灯制御回路２３は、点灯回路２５を制御することで光源２７の点灯状態を異常を報知する点灯状態に変更する。例えば、光源２７が消灯されている場合には、点灯制御回路２３は、常夜灯を点灯又は点滅させることで異常を報知してもよい。また、光源２７が点灯している場合には、点灯制御回路２３は、光源２７を所定のリズムで点滅させてもよい。これにより、光源２７が点灯中であっても、点灯状態を変更することで音声回路グループ１０の異常を報知できるため、報知装置として、他の装置を用いる必要がない。したがって、簡素化された構成を有する照明システムを実現できる。
【００４１】
また、点灯制御回路２３は、ブザー２６を駆動することで異常を報知してもよい。このような報知装置による報知は、一度だけ行ってもよいし、繰り返し行ってもよい。例えば、照明システム１への電力供給開始時に、毎回報知装置による報知を行ってもよい。
【００４２】
一方、検出回路３０が音声回路グループ１０の異常を検出しなかった場合には（Ｓ３０でＮｏ）、ステップＳ１０に戻る。
【００４３】
照明システム１は、以上のように音声回路グループ１０の異常を検出した場合には、点灯回路グループ２０の報知装置を用いて報知し、点灯回路グループ２０の異常を検出した場合には、スピーカ１５を用いて異常を報知する。したがって、異常が検出された回路グループと異なる回路グループによって異常を報知するため、点灯回路グループ２０及び音声回路グループ１０の異常を速やかに報知できる。
【００４４】
［１−３．まとめ］
以上のように、本実施の形態に係る照明システム１は、光源２７を点灯させる照明システム１であって、光源２７を点灯させる点灯回路２５と、報知装置とを有する点灯回路グループ２０と、スピーカ１５と、スピーカ１５を駆動する音声制御回路１３とを有する音声回路グループ１０と、点灯回路グループ２０及び音声回路グループ１０の異常を検出する検出回路３０とを備える。検出回路３０は、音声回路グループ１０の異常を検出した場合には、報知装置を用いて異常を報知し、点灯回路グループ２０の異常を検出した場合には、スピーカを用いて異常を報知する。
【００４５】
これにより、音声回路グループ１０の異常を検出した場合には、点灯回路グループ２０の報知装置を用いて報知し、点灯回路グループ２０の異常を検出した場合には、スピーカ１５を用いて異常を報知する。したがって、異常が検出された回路グループと異なる回路グループによって異常を報知するため、点灯回路グループ２０及び音声回路グループ１０の異常を速やかに報知できる。
【００４６】
また、照明システム１において、検出回路３０は、音声回路グループ１０の異常を検出する第一検出部３１と、点灯回路グループ２０の異常を検出する第二検出部３２と、第一検出部３１と第二検出部３２との間で信号を伝達する信号伝達部３３とを有してもよい。
【００４７】
これにより、例えば、第一検出部３１及び第二検出部３２をそれぞれ、点灯回路グループ２０及び音声回路グループ１０の付近に配置できる。例えば、第二検出部３２及び点灯回路グループ２０を点灯回路基板４２に実装でき、第一検出部３１及び音声回路グループ１０を音声回路基板４１に実装できる。
【００４８】
また、照明システム１において、報知装置は、光源２７を含んでもよい。
【００４９】
これにより、光源２７を用いて音声回路グループ１０の異常を報知できるため、報知装置として、他の装置を用いる必要がない。したがって、簡素化された構成を有する照明システムを実現できる。
【００５０】
また、照明システム１において、検出回路３０は、光源２７の点灯状態を変更することによって、異常を報知してもよい。
【００５１】
これにより、光源２７が点灯中であっても、点灯状態を変更することで音声回路グループ１０の異常を報知できるため、報知装置として、他の装置を用いる必要がない。したがって、簡素化された構成を有する照明システムを実現できる。
【００５２】
また、照明システム１において、報知装置は、ブザー２６を含んでもよい。
【００５３】
これにより、照明システム１は、ブザー音によって音声回路グループ１０の異常を報知できるため、光源２７の発光状態を変更することなく、異常を報知できる。
【００５４】
また、照明システム１において、点灯回路グループ２０は、点灯回路２５に電力を供給する点灯電源回路２２を含んでもよい。
【００５５】
また、照明システム１において、点灯回路グループ２０は、点灯回路２５を制御する点灯制御回路２３を含んでもよい。
【００５６】
また、照明システム１において、音声回路グループ１０は、スピーカ１５の駆動に係る無線信号を送受信する無線通信回路１４をさらに有してもよい。
【００５７】
（実施の形態２）
実施の形態２に係る照明システムについて説明する。本実施の形態に係る照明システムは、主に検出回路の構成において実施の形態１に係る照明システムと相違する。以下、本実施の形態に係る照明システムについて、実施の形態１に照明システム１との相違点を中心に図３を用いて説明する。
【００５８】
図３は、本実施の形態に係る照明システム１０１の回路構成を示す回路図である。図３に示されるように、本実施の形態に係る照明システム１０１は、実施の形態１に係る照明システム１と同様に、点灯回路グループ２０と、音声回路グループ１０と、検出回路１３０とを備える。本実施の形態では、照明システム１０１は、実装用の基板である検出回路基板４３をさらに備える。検出回路１３０は、検出回路基板４３に実装される。
【００５９】
本実施の形態に係る検出回路１３０は、検出部１３１を有する。検出部１３１は、音声回路グループ１０及び点灯回路グループ２０の異常を検出し、音声回路グループ１０の異常を検出した場合には、点灯回路グループ２０の報知装置を用いて異常を報知し、点灯回路グループ２０の異常を検出した場合には、スピーカ１５を用いて異常を報知する。本実施の形態に係る検出回路１３０も、実施の形態１に係る第一検出部３１及び第二検出部３２と同様に、例えば、マイコンで実現される。なお、検出回路１３０は、マイコン以外の電気回路などを用いて実現されてもよい。
【００６０】
本実施の形態では、検出回路１３０が一つの検出部１３１で構成されるため、検出回路１３０の構成を簡素化できる。また、検出回路１３０が、点灯回路基板４２及び音声回路基板４１とは異なる検出回路基板４３に実装されることにより、検出回路１３０の配置の自由度を高めることができる。
【００６１】
（実施の形態３）
実施の形態３に係る照明システムについて説明する。本実施の形態に係る照明システムは、主に基板の構成において、実施の形態２に係る照明システム１０１と相違する。以下、本実施の形態に係る照明システムについて、実施の形態２に照明システム１０１との相違点を中心に図４を用いて説明する。
【００６２】
図４は、本実施の形態に係る照明システム２０１の回路構成を示す回路図である。図４に示されるように、本実施の形態に係る照明システム２０１は、実施の形態２に係る照明システム１０１と同様に、点灯回路グループ２０と、音声回路グループ１０と、検出回路１３０とを備える。本実施の形態では、照明システム２０１は、実装用の基板である共通基板２４０をさらに備え、点灯回路グループ２０、音声回路グループ１０及び検出回路１３０は、一つの共通基板２４０に実装される。これにより、本実施の形態に係る照明システム２０１の構成を簡素化でき、点灯回路グループ２０と検出回路１３０との間の配線、及び、音声回路グループ１０と検出回路１３０との間の配線に力が加わることを抑制できるため、当該配線の損傷を低減できる。
【００６３】
（変形例など）
以上、本発明の照明システムについて、各実施の形態に基づいて説明したが、本発明は、上記実施の形態に限定されるものではない。
【００６４】
例えば、本発明の一態様は、照明器具としても実現できる。例えば、本発明の一態様は、照明器具の一例である図４に示すようなシーリングライトとして実現することができる。図４に示される照明器具３００は、透光性のカバー３０５と、カバー３０５の内部に配置された上記実施の形態に係る照明システム１とを備える。なお、照明器具３００の内部には、上記各実施の形態に係るいずれの照明システムが配置されてもよい。また、上記各実施の形態に係る照明システムは、スポットライトなどのシーリングライト以外の照明装置などにも利用可能である。
【００６５】
また、上記各実施の形態では、各照明システムが点灯制御回路２３及び音声制御回路１３の各々に電圧を供給する回路を備える例を示したが、点灯制御回路２３及び音声制御回路１３には、一つの電源回路から電圧が供給されてもよい。例えば、制御電源回路２４から点灯制御回路２３及び音声制御回路１３に電圧が供給されてもよいし、音声電源回路１２から点灯制御回路２３及び音声制御回路１３に電圧が供給されてもよい。
【００６６】
また、光源２７は、ＬＥＤ以外の固体発光素子であってもよい。例えば、光源２７は、有機ＥＬ（Electro Luminescence）素子であってもよい。
【００６７】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【００６８】
１、１０１、２０１  照明システム
１０  音声回路グループ
１３  音声制御回路
１４  無線通信回路
１５  スピーカ
２０  点灯回路グループ
２２  点灯電源回路
２３  点灯制御回路
２５  点灯回路
２６  ブザー
２７  光源
３０、１３０  検出回路
３１  第一検出部
３２  第二検出部
３３  信号伝達部
３００  照明器具
【図１】
2020004584.tif 000003
【図２】
2020004584.tif 000004
【図３】
2020004584.tif 000005
【図４】
2020004584.tif 000006
【図５】
2020004584.tif 000007